【手続補正書】
【提出日】平成18年2月10日(2006.2.10)
【手続補正１】
【補正対象書類名】特許請求の範囲
【補正対象項目名】請求項１
【補正方法】変更
【補正の内容】
【請求項１】
追記型記録媒体であって、
記録データを記録するためのデータエリアと、
前記データエリアのディフェクト管理情報を記録するための確定的ディフェクト管理エリアを含み、前記データエリアへの記録・読取を制御する情報を記録するための制御情報記録エリアと、
前記制御情報記録エリアと前記データエリアとの間に配置され、前記データエリアのディフェクト管理情報を一時的に記録するための一時的ディフェクト管理エリアと、
を備え、
前記確定的ディフェクト管理エリア内の複数箇所に、前記ディフェクト管理情報が記録されることを特徴とする追記型記録媒体。
【手続補正２】
【補正対象書類名】特許請求の範囲
【補正対象項目名】請求項２
【補正方法】変更
【補正の内容】
【請求項２】
追記型記録媒体であって、
記録データを記録するためのデータエリアと、
前記データエリアのディフェクト管理情報を記録するための確定的ディフェクト管理エリアを含み、前記データエリアへの記録・読取を制御する情報を記録するための複数の制御情報記録エリアと、
一の前記制御情報記録エリアと前記データエリアとの間に配置され、前記データエリアのディフェクト管理情報を一時的に記録するための一時的ディフェクト管理エリアと、
を備え、
前記複数の制御情報記録エリアにおける複数の確定的ディフェクト管理エリアに、同一のディフェクト管理情報が記録されることを特徴とする追記型記録媒体。
【手続補正３】
【補正対象書類名】特許請求の範囲
【補正対象項目名】請求項３
【補正方法】変更
【補正の内容】
【請求項３】
前記確定的ディフェクト管理エリア内の複数箇所に、前記ディフェクト管理情報が記録されることを特徴とする請求項２に記載の追記型記録媒体。
【手続補正４】
【補正対象書類名】特許請求の範囲
【補正対象項目名】請求項６
【補正方法】変更
【補正の内容】
【請求項６】
（i）記録データを記録するためのデータエリアと、（ii）前記データエリアのディフェクト管理情報を記録するための確定的ディフェクト管理エリアを含み、前記データエリアへの記録・読取を制御する情報を記録するための制御情報記録エリアと、（iii）前記制御情報記録エリアと前記データエリアとの間に配置され、前記データエリアのディフェクト管理情報を一時的に記録するための一時的ディフェクト管理エリアとを備えた追記型記録媒体に前記記録データを記録する記録方法であって、
前記記録データを前記データエリアに記録する第１の記録工程と、
前記ディフェクト管理情報を作成または更新するディフェクト管理情報作成工程と、
ディフェクト管理情報作成工程において作成または更新されたディフェクト管理情報を前記一時的ディフェクト管理エリアに記録する第２の記録工程と、
前記記録媒体に対しファイナライズを行うべき旨の命令を発するファイナライズ命令工程と、
前記ファイナライズ命令工程においてファイナライズを行うべき旨の命令が発せられたときに、前記ディフェクト管理情報作成工程において作成または更新されたディフェクト管理情報を前記確定的ディフェクト管理エリア内の複数箇所に記録する第３の記録工程と
を備えていることを特徴とする記録方法。
【手続補正５】
【補正対象書類名】特許請求の範囲
【補正対象項目名】請求項７
【補正方法】変更
【補正の内容】
【請求項７】
（i）記録データを記録するためのデータエリアと、（ii）前記データエリアのディフェクト管理情報を記録するための確定的ディフェクト管理エリアを含み、前記データエリアへの記録・読取を制御する情報を記録するための複数の制御情報記録エリアと、（iii）一の前記制御情報記録エリアと前記データエリアとの間に配置され、前記データエリアのディフェクト管理情報を一時的に記録するための一時的ディフェクト管理エリアとを備えた追記型記録媒体に前記記録データを記録する記録方法であって、
前記記録データを前記データエリアに記録する第１の記録工程と、
前記ディフェクト管理情報を作成または更新するディフェクト管理情報作成工程と、
ディフェクト管理情報作成工程において作成または更新されたディフェクト管理情報を前記一時的ディフェクト管理エリアに記録する第２の記録工程と、
前記記録媒体に対しファイナライズを行うべき旨の命令を発するファイナライズ命令工程と、
前記ファイナライズ命令工程においてファイナライズを行うべき旨の命令が発せられたときに、前記ディフェクト管理情報作成工程において作成または更新されたディフェクト管理情報を前記複数の制御情報記録エリアにおける複数の確定的ディフェクト管理エリアに記録する第３の記録工程と
を備えていることを特徴とする記録方法。
【手続補正６】
【補正対象書類名】特許請求の範囲
【補正対象項目名】請求項８
【補正方法】変更
【補正の内容】
【請求項８】
前記第３の記録工程は、前記ディフェクト管理情報を前記確定的ディフェクト管理エリア内の複数箇所に記録することを特徴とする請求項７に記載の記録方法。
【手続補正７】
【補正対象書類名】特許請求の範囲
【補正対象項目名】請求項１１
【補正方法】変更
【補正の内容】
【請求項１１】
（i）記録データを記録するためのデータエリアと、（ii）前記データエリアのディフェクト管理情報を記録するための確定的ディフェクト管理エリアを含み、前記データエリアへの記録・読取を制御する情報を記録するための制御情報記録エリアと、（iii）前記制御情報記録エリアと前記データエリアとの間に配置され、前記データエリアのディフェクト管理情報を一時的に記録するための一時的ディフェクト管理エリアとを備えた追記型記録媒体に前記記録データを記録するための記録装置であって、
前記記録データを前記データエリアに記録する第１の記録手段と、
前記ディフェクト管理情報を作成する作成手段と、
前記作成手段により作成されたディフェクト管理情報を前記一時的ディフェクト管理エリアに記録する第２の記録手段と、
前記ディフェクト管理情報を前記確定的ディフェクト管理エリア内の複数箇所に記録する第３の記録手段と
を備えていることを特徴とする記録装置。
【手続補正８】
【補正対象書類名】特許請求の範囲
【補正対象項目名】請求項１２
【補正方法】変更
【補正の内容】
【請求項１２】
（i）記録データを記録するためのデータエリアと、（ii）前記データエリアのディフェクト管理情報を記録するための確定的ディフェクト管理エリアを含み、前記データエリアへの記録・読取を制御する情報を記録するための複数の制御情報記録エリアと、（iii）一の前記制御情報記録エリアと前記データエリアとの間に配置され、前記データエリアのディフェクト管理情報を一時的に記録するための一時的ディフェクト管理エリアとを備えた追記型記録媒体に前記記録データを記録するための記録装置であって、
前記記録データを前記データエリアに記録する第１の記録手段と、
前記ディフェクト管理情報を作成する作成手段と、
前記作成手段により作成されたディフェクト管理情報を前記一時的ディフェクト管理エリアに記録する第２の記録手段と、
前記ディフェクト管理情報を前記複数の制御情報記録エリアにおける複数の確定的ディフェクト管理エリアに記録する第３の記録手段と
を備えていることを特徴とする記録装置。
【手続補正９】
【補正対象書類名】特許請求の範囲
【補正対象項目名】請求項１３
【補正方法】変更
【補正の内容】
【請求項１３】
前記第３の記録手段は、前記ディフェクト管理情報を前記確定的ディフェクト管理エリア内の複数箇所に記録することを特徴とする請求項１２に記載の記録装置。